(57)【要約】      （修正有）【課題】層間間隙を閉塞する部材として支持部材及び閉塞部材を特定の構成とすることによって、構造が簡単で、しかも容易かつ確実に層間間隙の閉塞施工を行うことが出来ると共に、作業時の安全性と迅速性を向上させることが出来、建築コストを安くすることができるようにした層間間隙の支持部材と閉塞部材を提供する。【解決手段】床スラブと壁との層間間隙を閉塞する耐火材が担持される層間間隙閉塞ラスを支持する支持部材において、床スラブＳの下部に設けられているＩ型鋼梁のフランジ部５に挿入適合するコ字型の金具部材６に細棒状材８を取り付けた支持部材。【選択図】図３
0003179416.tif 000002
【実用新案登録請求の範囲】
【請求項１】
床スラブと壁との層間間隙を閉塞する耐火材が担持される層間間隙閉塞ラスを支持する支持部材において、床スラブの下部に設けられているＩ型鋼梁のフランジ部に挿入適合するコ字型の金具部材に細棒状材を取り付けたことを特徴とする支持部材。
【請求項２】
床スラブと壁との層間間隙を閉塞する耐火材が担持される層間間隙閉塞ラスと、該層間間隙閉塞ラスを支持する請求項１記載の支持部材とにより、床スラブと壁との層間間隙を閉塞する閉塞部材。
【考案の詳細な説明】
【技術分野】
【０００１】
本考案は、層間間隙の支持部材と閉塞部材に関し、特に作業時の安全性と迅速性を向上させ得ると共に、壁等に対する悪影響を回避でき、簡単に効果的に層間間隙を閉塞し得る層間間隙の支持部材と閉塞部材に関するものである。
【背景技術】
【０００２】
従来の技術としては、床スラブと壁との層間間隙を閉塞する耐火材を担持する層間間隙閉塞ラスと、該層間間隙閉塞ラスを支持する、床スラブ上面に設けられた鉛直状の嵌合孔に嵌合する鉛直状の嵌合部と、床スラブと壁との層間間隙を閉塞する耐火材が担持される層間間隙閉塞ラスを支持する水平状の支持部と、該支持部と上記嵌合部とを連設する連設部とからなる細棒状材で折り曲げ一体形成した支持部材とからなることを特徴とする層間間隙の閉塞部材（例えば、特許文献１参照）が存在している。
【特許文献１】特公平７−９１８７１号公報（特許請求の範囲の欄、発明の詳細な説明の欄の欄、及び図６〜図９を参照）
【考案の開示】
【考案が解決しようとする課題】
【０００３】
本考案の主な目的は、層間間隙を閉塞する部材として支持部材及び閉塞部材を特定の構成とすることによって、構造が簡単で、しかも容易かつ確実に層間間隙の閉塞施工を行うことが出来ると共に、作業時の安全性と迅速性を向上させることが出来、建築コストを安くすることができるようにした層間間隙の支持部材と閉塞部材を提供することにある。
【課題を解決するための手段】
【０００４】
上記課題を解決するための本考案の第１考案は、請求項１に記載された通りの層間間隙の支持部材であり、次のようなものである。
床スラブと壁との層間間隙を閉塞する耐火材が担持される層間間隙閉塞ラスを支持する支持部材において、床スラブの下部に設けられているＩ型鋼梁のフランジ部に挿入適合するコ字型の金具部材に細棒状材を取り付ける構成である。
【０００５】
上記課題を解決するための本考案の第２考案は、請求項２に記載された通りの層間間隙の支持部材と閉塞部材であり、次のようなものである。
請求項１に記載の発明に加えて、床スラブと壁との層間間隙を閉塞する耐火材が担持される層間間隙閉塞ラスと、該層間間隙閉塞ラスを支持する請求項１記載の支持部材とにより、床スラブと壁との層間間隙を閉塞する構成である。
【考案の効果】
【０００６】
本考案に係る層間間隙の支持部材と閉塞部材は、上記説明のような構成を有するので、以下に記載する効果を奏する。
（１）床スラブと壁との層間間隙に寸法誤差があっても、その都度長さを調整する必要がなく、同一の支持部材で細棒状材を適宜の角度に曲げて直角、斜め等に配設できるので極めて簡単に閉塞することができる。
（２）床スラブの下面に設けた梁と支持部材とは挿入挟持によって係着すると共に、支持部材と層間間隙閉塞ラスとは細棒状材に層間間隙閉塞ラスを載置することのみで支持する為、危険性の高い床スラブ上での溶接作業や切断作業が不要になり、溶接作業や切断作業による形状や寸法の誤差も回避できる利点がある。
（３）溶接作業や切断作業が不要になる為、足場の悪さ等による安全性が悪い点や作業性が悪い点、製作誤差による精度不足な点、溶接時の熱影響等による壁やガラスに対する悪影響や火災発生の虞等の従来の問題点を解消し、作業時の安全性と迅速性を向上できる利点がある。
（４）溶接作業による構成部品の断面欠損が回避される為、強度低下を阻止でき、しかも製作誤差を減少させて精度を向上させることができる利点がある。
（５）層間間隙閉塞ラスが矩形平板状に形成されている為、長さ調整した層間間隙閉塞ラスを相互に重ね合わせて長さ調整することで寸法誤差を吸収でき、床スラブと壁との間隔をより効果的に閉塞することができる利点がある。
（６）現場作業を可及的に逓減して層間間隙を耐火材により簡単かつ確実に閉塞することができる為、強度および耐火性能を向上させることができ、火災時や地震時の不測の事態を未然に防止することができるようになる。
【図面の簡単な説明】
【０００７】
【図１】本考案に基づく支持部材の第一実施例を示す斜視図である。
【図２】同支持部材に鉄筋を取り付けた斜視図である。
【図３】同層間間隙の閉塞工法のうち層間間隙に耐火材を充填して層間間隙を閉塞した場合の一部断面正面図である。
【図４】同層間間隙の閉塞工法のうち支持部材により層間間隙閉塞ラスを支持した場合の平面図である。
【図５】本考案に基づく支持部材の使用例を示す正面図である。
【図６】同使用例の支持部材の底面図である。
【考案を実施するための形態】
【０００８】
床スラブと壁との層間間隙を閉塞する耐火材が担持される層間間隙閉塞ラスと、該層間間隙閉塞ラスを支持する床スラブの下部に設けられているＩ型鋼梁のフランジ部に挿入適合するコ字型の金具部材に細棒状材を取り付けた支持部材とにより、床スラブと壁との層間間隙を閉塞する閉塞部材である。
【実施例】
【０００９】
以下、本考案の実施例について説明する。
本考案は、建築物等の構築物の壁と床スラブとの層間間隙は、寸法誤差があり、この寸法誤差に対して、支持部材の細棒状材を適宜の角度をもたせて斜めに配設することにより間隙の寸法誤差に対応できる。
【００１０】
また、層間間隙閉塞ラスが金網材により矩形平板状に形成されたものの場合は、予め床スラブの長さに適合させて層間間隙閉塞ラスの長さを調整できる為、現場では該長さ調整した層間間隙閉塞ラスを支持部材に取り付けるものである。
【００１１】
さらに、層間間隙閉塞ラスが矩形平板状に形成されている為、長さ調整した層間間隙閉塞ラスを長手方向に相互に重ね合わせれば長さ調整を出来、寸法誤差のばらつきが大であっても、該誤差を簡易に吸収することができる。
【００１２】
しかも、梁と支持部材とは、梁のフランジ部に挿入するようにコ字型の金具部材で挟持すると共に、支持部材と層間間隙閉塞ラスとは、支持部材に適宣手段により支持するものである。建築現場における層間間隙閉塞ラスの切断作業が不要になる。
【００１３】
従って、現場作業を可及的に逓減して、層間間隙を耐火材により簡単かつ確実に閉塞することができ、強度および耐火性能を向上させることができ、火災時や、地震時の不測の事態を未然に防止することができるようにした床スラブと壁との層間間隙を閉塞する耐火材が担持される層間間隙閉塞ラスを支持する支持部材において、床スラブの下部に設けられているＩ型鋼梁のフランジ部に挿入適合するコ字型の金具部材に細棒状材を取り付けたことを特徴とする支持部材である。
【００１４】
以下に添付の図面を参照して、本考案を特定の実施例について詳述する。
図１〜図４は、本考案の第一実施例を示し、支持部材１は、図１〜図４に良く示されているように、床スラブＳを支持している梁４、例えばＨ型鋼のフランジ部５に挿入挟持できるように金属板材を略コ字状に折り曲げた金具部材６に、フランジ部５に確実に挟持されるように、切り起し部７を形成して、その弾性力を利用して押圧挟持できるようになっている。さらに、略コ字状に折り曲げた金具部材６の底部に金属細棒状材からなる細い棒状材８を金具部材６の底部を切り欠いたり、別体の部材で、細棒状材８を摺動支持できる、獅子部３を形成するものである。
【００１５】
この支持部材１を梁４の長手方向に適宣間隔で複数個挟持し、前記複数個の支持部材１の細棒状材８を渡すように層間間隙閉塞ラスＬを載置したり、結束して固定したりして支持し、該層間間隙閉塞ラスＬと共に層間間隙の閉塞部材Ｙを構成する。尚、層間間隙閉塞ラスＬとはラスそれ自体だけに限るものではなく、板材等、閉塞材Ｖを受け止めるものであれば、種々のものを採用することができる。
【００１６】
前記支持部材１は、前記床スラブＳの下面に設けられた梁４のフランジ部５に挿入挟持される。この支持部材１を梁４の長手方向のフランジ部５に適宣間隔で挿入挟持させ、梁４と壁Ｗとの層間間隔Ｃを閉塞する耐火材Ｒが担持される層間間隙閉塞ラスＬを載置あるいは固定支持できるようにしたものである。
【００１７】
尚、梁４と壁Ｗとの層間間隙が挟い場合は、支持部材１の細棒状材８を曲げて層間間隙に見合うようにすることができるので、従来の層間間隙の大小で多種の支持部材１を用意する必要がなくなった。
【００１８】
一方、上記層間間隙閉塞ラスＬは、金網材からなり、床スラブＳと壁Ｗとの間に水平状に配設されると共に、上記細棒状材８に載置出来るように、矩形平板状に形成されている。該層間間隙閉塞ラスＬの幅ｎは、該支持部３と壁Ｗとの間隔ｍと略同一幅または該幅ｍより僅かに短い長さに形成することが必要であり、通常該間隔ｍの９８％前後の長さが適当である。
【００１９】
また、該層間間隙閉塞ラスＬの長さは、予め所定長さに調節したもの、または所定の資材寸法（規格寸法）の侭のものでも良く、端部の１枚のみ、床スラブＳや壁Ｗの長さに適合させて予め長さを調整しておくことができる。この際、現場にて、長さに誤差があった場合には、該層間間隙閉塞ラスＬを長手方向に相互に重ね合わせて長さを調整することができ、寸法誤差のばらつきが大であっても、該誤差を簡易に吸収することが出来る。
【００２０】
そして、該層間間隙閉塞ラスＬは、前記細棒状材８の上面に載置することで、上記支持部材１にて支持されると共に、該支持部材１と共に層間間隔の閉塞部材Ｙを構成する。
【００２１】
また図５、図６に示すように、金具部材６の垂直面に設けられた細棒状材８を挿入嵌合することができる嵌合部２は、ラスを垂直に配設しなければならないような場合に利用するものである。
次に、上記実施例に係る層間間隙の閉塞部材を使用して、層間間隙の閉塞する工法を、図３〜図４に基づいて詳述する。
【００２２】
すなわち、支持部材１と層間間隙閉塞ラスＬと耐火材Ｒを用いて、層間間隙Ｃを閉塞する場合においては、
（１）まず、図３と図４に良く示されているように、床スラブＳの下面に設けた梁４のフランジ部５に所定ピッチで端面に沿って多数設ける。
（２）次に、図４に良く示されているように、多数の支持部材１を床スラブＳの下面の梁のフランジ部に挿入挟持する。
（３）つづいて、図３、図４に良く示されているように、該多数の支持部材１の細棒状材８の上面に多数の層間間隙閉塞ラスＬを載置する。
【００２３】
該層間間隙閉塞ラスＬは、矩形平板状に形成され、その幅ｎが支持部３と壁Ｗとの間隔ｍの９８％前後の長さに形成されており、縦にして床スラブＳと壁Ｗとの間隔ｂに挿入した後、横にして支持部材１の細棒状材８の上面に載置することが出来、何等変形させることなく配設できる。この際、現場にて、長さに誤差があるときは、該層間間隙閉塞ラスＬを相互に重ね合わせて長さを調整できる為、寸法誤差のばらつきが大でも、該誤差を簡易に吸収出来る。
【００２４】
そして、該層間間隙閉塞ラスＬは、上記細棒状材８の上面に載置することで、上記支持部材１にて支持される。これによって、床スラブＳと壁Ｗとの間隔ｂとの間に、支持部材１と層間間隙閉塞ラスＬとを配設すると共に、該床スラブＳと壁Ｗとの間隔ｂを閉塞する。
（４）さらに、図３に良く示されているように、該層間間隙閉塞ラスＬと壁Ｗと床スラブＳの下面の梁とによって形成される層間間隙Ｃに、耐火材Ｒを吹付け等の手段によって充填する。これによって、該層間間隙Ｃを該耐火材Ｒで閉塞する。
尚、同時に梁の周囲にも耐火材Ｒで閉塞されることはいうまでもない。
【００２５】
従って、建築基準法が義務付けている層間間隙Ｃを耐火材Ｒで効果的に閉塞することができる。
【００２６】
次に、本実施例に係る層間間隙の閉塞部材の作用について説明する。
このように、本実施例によれば、床スラブＳの下面に設けられた梁４と、該梁４のフランジ部５に挿入挟持する層間間隙閉塞ラスＬを支持する支持部材１と、該支持部材１の細棒状材８に層間間隙閉塞ラスＬを載置するものである。
【００２７】
また、層間間隙閉塞ラスＬが金網材により矩形の平板状に形成されているので、予め床スラブの長さに適合させて層間間隙閉塞ラスＬの長さを調整することができる為、現場では該長さを調整した層間間隙閉塞ラスＬを支持部材１の細棒状材８に載置することのみで支持させることができる。
【００２８】
さらに、層間間隙閉塞ラスＬが矩形平板状に形成されている為、長さ調整した層間間隙閉塞ラスＬを相互に重ね合わせて長さ調整することで、寸法誤差のばらつきが大であっても、該誤差を吸収することができ、床スラブＳと壁Ｗとの間隔ｂをより効果的に閉塞することができる。
【００２９】
また、該層間間隙閉塞ラスＬが矩形平板状に形成されている為、縦にして床スラブＳと壁Ｗとの間隔ｂに挿入した後、横にして支持部材１の支持部３の上面に載置すれば良いから、何等変形させることなく配設でき、形状や寸法にばらつきのない所定の支持部材１とすることが出来る。
【００３０】
また、層間間隙閉塞ラスＬを支持部材１により支持している為、火災や地震等によって層間間隙閉塞ラスＬが損傷を受けても、支持部材１が耐火材Ｒの構造部材となり、火災時や地震時等の不測時でも、耐火材Ｒを確実に保持出来る。
【００３１】
しかも、床スラブＳの下面に設けた梁と支持部材１とは挿入挟持によって係着すると共に、支持部材１と層間間隙閉塞ラスＬとは支持部３に層間間隙閉塞ラスＬを載置することのみで支持する為、危険性の高い床スラブＳ上での支持部３と層間間隙閉塞ラスＬとの溶接作業や層間間隙閉塞ラスＬ同士の溶接作業や層間間隙閉塞ラスＬの切断作業が不要になり、作業が簡易となるだけでなく、溶接作業や切断作業による形状や寸法の誤差も回避できる。
従って、従来建築現場における足場が悪い為に生じた従業員の安全性に欠ける点や、作業性が悪い点、製作誤差を生じて精度を充足出来ない点、溶接時の熱影響や花火飛散により壁Ｗやガラスに悪影響を及ぼす不具合や火災発生の虞がある等の種々の問題点が解消される。さらに、溶接作業による断面欠損が回避され、強度および耐火性能を向上させることができ、火災時や地震時の不測の事態を未然に防止できるようになる。
【００３２】
さらに、層間間隙閉塞ラスＬは、上記実施例の矩形平板状のものに限られることなく、Ｌ断面や溝断面の帯状のものに形成することができ、断面係数を大とすることができ、強度を向上させることができる。
【００３３】
さらに、耐火材Ｒとしては、一般に使用されている石綿、ロックウール、モルタルや残滓等の耐火性に優れた材料が用いられる。
【産業上の利用可能性】
【００３４】
建築物等の構築物の壁と床スラブとの層間間隙は、防火上の理由から耐火材により閉塞するように建築基準法が義務付けている。この層間間隙を閉塞する上で、壁と床スラブにはＨ型鋼梁やＩ型鋼梁等、各種形状の型鋼を採用されるが、その各種型鋼の形状に合わせて、支持部材を型鋼に対して挟持できるような形状を選択することで各現場の実情に適合することができる。
【符号の説明】
【００３５】
１・・・・支持部材
２・・・・嵌合部
３・・・・支持部
４・・・・梁
５・・・・フランジ部
６・・・・金具部材
７・・・・切り起し部
８・・・・細棒状材
Ｙ・・・・層間間隙の閉塞部材
Ｌ・・・・層間間隙閉塞ラス
ｎ・・・・層間間隙閉塞ラスの幅
Ｓ・・・・床スラブ
Ｈ・・・・嵌合孔
ｈ・・・・嵌合孔の深さ
Ｗ・・・・壁
Ｃ・・・・層間間隔
Ｒ・・・・耐火材
ｋ・・・・支持部の長さ
ｂ・・・・床スラブと壁との間隙
ｍ・・・・支持部と壁との間隙
ｇ・・・・切欠部
Ｖ・・・・閉塞材
Ｐ・・・・係止部材
Ｑ・・・・連結部材
Ｕ・・・・金網
【図１】
0003179416.tif 000003
【図２】
0003179416.tif 000004
【図３】
0003179416.tif 000005
【図４】
0003179416.tif 000006
【図５】
0003179416.tif 000007
【図６】
0003179416.tif 000008